(57)【要約】【課題】異常リセットが行われた場合のリモコン表示等について、利用者が利用しやすいような空気調和装置を得る。【解決手段】冷媒回路を構成する複数台の室内機２００及び室外機１００をそれぞれ制御する室内制御装置２４０及び室外制御装置１３０を通信接続し、また、リモコン４００が有するリモコン制御装置４３０と室内制御装置２４０とを通信接続して構成する空気調和装置において、室外制御装置１３０は、あるリモコン４００に入力された復帰指示に係る異常リセット信号が送信されると、室内機２００に異常リセット通報信号を送信し、異常リセット通報信号を受信した室内制御装置２４０は、動作を再開し、リモコン４００に異常リセット通報信号を送信する復帰処理を行い、リモコン表示装置４５０等ではの表示を通常表示に戻す処理を行う。【選択図】図１
2012013329.tif 000002
【特許請求の範囲】
【請求項１】
配管接続により冷媒回路を構成する複数台の室内機及び室外機が有する手段をそれぞれ制御する室内制御装置及び室外制御装置を通信接続し、また、前記室内機の操作をするためのコントローラが有する操作制御装置と前記室内制御装置とを通信接続して構成する空気調和装置において、
前記室外制御装置は、あるコントローラに入力された異常リセット指示に係る異常リセット信号が送信されると、冷媒回路を構成する前記室内機に異常リセット通報信号を送信するようにし、
前記異常リセット通報信号の受信に係る前記室内制御装置は、前記室内機の動作を再開させる復帰処理を行い、
前記室内機及び／又は前記コントローラが有する表示手段においては、前記異常リセット通報信号に基づいて通常表示に戻すことを特徴とする空気調和装置。
【請求項２】
前記室内機は室内記憶手段をさらに備え、
前記室内制御装置は、異常が発生した際の動作設定を前記室内記憶手段に記憶させておき、前記復帰処理時には前記動作設定に基づいて前記室内機の動作を再開させることを特徴とする請求項１に記載の空気調和装置。
【請求項３】
前記室内制御装置が前記リセット通報信号に基づく前記復帰処理を行うか否かを設定するための切替手段を、前記室内機にさらに備えることを特徴とする請求項１又は２に記載の空気調和装置。
【請求項４】
前記室内制御装置は、前記切替手段による設定に係る信号を、動作開始時に前記室外制御装置に送信し、
前記室外制御装置は、前記復帰処理を行うものと設定された前記室内制御装置に対して前記異常リセット通報信号を送信するようにすることを特徴とする請求項３に記載の空気調和装置。
【請求項５】
異なる冷媒回路の前記室内機における前記室内制御装置間を通信接続してグルーピングを構成している場合に、
前記グルーピングに係る前記室内制御装置は、同一冷媒系統の冷媒回路に係る前記室外機からの異常リセット通報信号に基づいて前記復帰処理を行うことを特徴とする請求項１〜４のいずれかに記載の空気調和装置。
【発明の詳細な説明】
【技術分野】
【０００１】
この発明は、複数台の室内機、１又は複数台の室外機及び室内機の操作等をするためのコントローラ（操作機器）を通信できるように接続している空気調和装置に関するものである。
【背景技術】
【０００２】
例えば複数台の室内機、１又は複数台の室外機を配管接続して、空気調和を行う空気調和装置（空気調和システム）では、室外機と室内機等との間を通信により情報的な連携を行いながら空調動作を行うものが主流である。このとき、室内機と室外機とにおいては、それぞれが有する制御装置間を伝送線等により通信接続し、信号の送受を行うようにして冷媒回路を構成する機器等の制御を行っている。また、例えば室内機に、リモートコントローラ（以下、リモコンという）等のコントローラを通信接続し、利用者等が、室内機に対して設定温度等に係る操作指示を行えるようにしている。
【０００３】
このような空気調和装置において、例えば、室外機等に異常が発生し、冷媒回路が異常状態になった場合、その室外機と配管接続している全室内機は異常状態が発生したものとして空気調和に係る運転を停止する。そして、例えば、リモコンが表示手段を有している場合、室内機内の制御装置は、リモコンに信号を送り、リモコン制御装置が表示手段に異常状態である旨を表示させる（例えば特許文献１参照）。その後、利用者が手動操作により異常リセットの指示をリモコンから入力すると、表示手段は異常状態に係る表示を解除する。また、空気調和装置は正常な状態に戻るため、室内機は処理を行って通常の動作に戻る。
【先行技術文献】
【特許文献】
【０００４】
【特許文献１】特開平５−２２３３１４号公報（図１）
【発明の概要】
【発明が解決しようとする課題】
【０００５】
しかし、例えば操作が行われたリモコン、そのリモコンから異常リセットの指示を受けた室内機では通常の表示、動作の状態に戻るが、例えば、異常リセットの指示が入力されないリモコンでは、表示手段の異常表示が解除されない場合があった。このため、例えば同じ部屋に他の室内機と接続したリモコンが設置してあるような場合、同じ部屋にもかかわらず、複数のリモコンで異なる表示が混在することにより利用者が困惑することがあった。また、上記の特許文献１のような方法では、室外機の異常状態が解除されていない状態（運転が再開していない状態）で、室内機が動作を行うことになるため、異常前の運転状態には戻らない。
【０００６】
この発明は、上記のような課題を解決するためになされたもので、利用者が利用しやすいような表示等を行うことができる空気調和装置を得ることを目的とするものである。
【課題を解決するための手段】
【０００７】
この発明に係る空気調和装置は、配管接続により冷媒回路を構成する複数台の室内機及び室外機が有する手段をそれぞれ制御する室内制御装置及び室外制御装置を通信接続し、また、室内機の操作をするためのコントローラが有する操作制御装置と室内制御装置とを通信接続して構成する空気調和装置において、室外制御装置は、あるコントローラに入力された異常リセット指示に係る異常リセット信号の送信に基づいて、冷媒回路を構成する室内機に異常リセット通報信号を送信するようにし、異常リセット通報信号の受信に係る室内制御装置は、室内機の動作を再開させる復帰処理を行い、室内機及び／又はコントローラが有する表示手段においては、異常リセット通報信号に基づいて表示を通常表示に戻すものである。
【発明の効果】
【０００８】
この発明によれば、あるコントローラに入力された指示に係る異常リセット信号に対して、室外制御装置は異常リセット通報信号を送信し、異常リセット通報信号を受信した室内制御装置は復帰処理を行い、表示手段の表示を通常表示に戻すようにしたので、異常リセット指示がなされたコントローラ、室内機に係る表示手段だけでなく、他の表示手段においても通常表示に戻すことができる。このため、操作表示手段間における表示が異なることなく、利用者を困惑させずにすむ。また、室内機の動作も通常状態（異常発生前の状態）に戻すことができる。さらに、室外制御装置からの異常リセット通報信号により室内機が復帰処理を行うようにしたので、室外機が正常に運転していない場合に異常リセット通報信号が送られないようにし、室内機が復帰処理を行えないようにすることができる。
【図面の簡単な説明】
【０００９】
【図１】この発明の実施の形態１における通信等のシステム構成を示す図である。
【図２】室外機１００の制御に係る装置構成を表す図である。
【図３】室内機２００の制御に係る装置構成を表す図である。
【図４】リモコン４００の装置構成を表す図である。
【図５】実施の形態１に係る異常時における処理と信号の流れを表す図である。
【図６】実施の形態１に係る各機器の復帰処理に係る信号の流れを表す図である。
【図７】この発明の実施の形態２における通信等のシステム構成を示す図である。
【図８】実施の形態２に係る各機器の復帰処理に係る信号の流れを表す図である。
【図９】この発明の実施の形態３における通信等のシステム構成を示す図である。
【発明を実施するための形態】
【００１０】
実施の形態１．
図１はこの発明の実施の形態１における空気調和装置の通信等のシステム構成を示す図である。本実施の形態における空気調和装置の冷媒系統については、例えば圧縮機、室外側熱交換器を有する室外機１００と、流量調整手段（膨張弁）、室内側熱交換器を有する室内機２００Ａ、２００Ｂ及び２００Ｃとを冷媒配管６００により配管接続し、同一の冷媒系統による冷凍サイクル（冷媒回路）を構成している。ここで、図１では冷媒配管６００を１つの線で示しているが、実際には冷媒を循環させるために少なくとも２本の管を有している。
【００１１】
一方、通信系統については、室外機１００と、室内機２００Ａ、２００Ｂ及び２００Ｃとの間を伝送線３００で通信（電力供給も含む）接続している。また、室内機２００Ａ、２００Ｂ、２００Ｃとリモコン４００Ａ、４００Ｂ、４００Ｃとの間を、それぞれ通信線５００Ａ、５００Ｂ、５００Ｃで接続している。以下、特に区別する必要がない場合は同種の機器等について、添え字を省略した記載により説明を行う場合がある。
【００１２】
図２は室外機１００の制御に係る装置（手段）構成を表す図である。室外機１００は、室外通信回路１１０、室外記憶装置１２０及び室外制御装置１３０を有している。室外通信回路１１０は、伝送線３００を介して、室外機１００（室外制御装置１３０）と室内機２００（室内制御装置２４０）との間で各種信号を通信するためのインターフェースとなる。
【００１３】
室外記憶装置１２０は、室外制御装置１３０が処理を行うためのデータ等を記憶する。また、室内機２００の運転状態、設定等のデータ（例えば各種検出手段（センサ）の検出に係る温度等の値のデータ。以下、状態データという）を記憶する。
【００１４】
マイクロコンピュータ等を有する室外制御装置１３０は、室外機１００が備える冷媒回路に係る各手段等（圧縮機、室外側熱交換器用ファン等）の制御処理を行い、空気調和に係る運転を行わせる。特に本実施の形態では、例えばある室内機２００から送信された異常リセット信号に基づいて、他の室内機２００（室内制御装置２４０）に対して、異常リセット通報信号を室外通信回路１１０に送信させる処理を行う。
【００１５】
図３は室内機２００の制御に係る装置（手段）構成を表す図である。室内機２００は、室内通信回路２１０、リモコン側通信回路２２０、室内記憶装置２３０及び室内制御装置２４０を有している。室内通信回路２１０は、室外通信回路１１０と同様に、室内機２００（室内制御装置２４０）と室外機１００（室外制御装置１３０）との間で各種信号を通信するためのインターフェースとなる。また、リモコン側通信回路２２０は、室内制御装置２４０とリモコン４００（リモコン制御装置４３０）との間で信号を通信するためのインターフェースとなる。室内記憶装置２３０は、室内制御装置２４０が処理を行うためのデータ等を記憶する。また、室内機２００に係る状態データを記憶する。
【００１６】
マイクロコンピュータ等を有する室内制御装置２４０は、室内機２００が備える冷媒回路に係る各手段（流量制御手段、室内機熱交換器用ファン等）の制御処理を行い、空気調和に係る動作を行わせる。特に本実施の形態では、例えばリモコン４００からの受信に係る異常リセット信号に基づいて、異常等により停止させた空気調和に係る動作を再開させ、室内通信回路２１０に異常リセット信号を送信させる処理を行う。また、例えば、室外機１００（室外制御装置１３０）からの受信に係る異常リセット通報信号に基づいて、リモコン側通信回路２２０に、リモコン４００に対する異常リセット通報信号を送信させる処理を行う。
【００１７】
図４はリモコン４００の装置（手段）構成を表す図である。操作手段（コントローラ）であるリモコン４００は、リモコン通信回路４１０、リモコン記憶装置４２０、リモコン制御装置４３０、リモコン操作装置４４０、リモコン表示装置４５０を有している。リモコン通信回路４１０は、リモコン４００（リモコン制御装置４３０）と室内機２００（室内制御装置２４０）との間で信号を通信するためのインターフェースとなる。また、リモコン記憶装置４２０は、リモコン制御装置４３０が処理を行うためのデータ等を記憶する。
【００１８】
マイクロコンピュータ等を有するリモコン制御装置４３０は、リモコン操作装置４４０に入力された操作指示に基づく信号をリモコン通信回路４１０に送信させる処理を行う。また、リモコン操作装置４４０からの操作指示、リモコン通信回路４１０からの各種信号に基づいて処理を行い、リモコン表示装置４５０に表示信号を送信する。特に本実施の形態では、例えばリモコン操作装置４４０からの異常リセット指示に基づいて、異常の旨を表示しているリモコン表示装置４５０を通常表示に戻し、リモコン通信回路４１０に異常リセット信号を送信させる復帰処理を行う。また、例えば、室内機２００（室内制御装置２４０）からの受信に係る異常リセット通報信号に基づいて、異常の旨の表示を通常表示に変更させる表示信号をリモコン表示装置４５０に送信する。
【００１９】
リモコン操作装置４４０は、利用者が行った操作指示をリモコン制御装置４３０に伝える。また、リモコン表示装置４５０は、リモコン制御装置４３０からの表示信号に基づいて各種表示を行う。
【００２０】
図５は実施の形態１に係る各機器の異常時における処理と信号の流れを表す図である。通常制御時においては、室外機１００の室外制御装置１３０と各室内機２００の室内制御装置２４０との間で、空気調和に係る制御を行うために必要なデータを含む信号について通信している。また、各室内機２００の室内制御装置２４０は、通信線５００で接続されたリモコン４００のリモコン制御装置４３０と室内等における空気調和運転制御に必要なデータを含む信号について通信を行っている。
【００２１】
次に異常が発生した場合の処理等について説明する。室外制御装置１３０は、室外機１００の冷媒回路に係る手段に異常が発生したものと判断すると（Ｓ１０１）、伝送線３００で通信接続している同一冷媒系統の全室内機２００（ここでは室内機２００Ａ、２００Ｂ、２００Ｃ）に対し、室外通信回路１１０を介した異常通報信号の送信処理を行う（Ｓ１０２）。
【００２２】
室内制御装置２４０は、伝送線３００を介して室内通信回路２１０において異常通報信号を受信したものと判断すると、例えば、その時点における運転状態に係るデータ（運転モード等。以下、状態データという）を室内記憶装置２３０に記憶させて、室内機２００の冷媒回路に係る手段に空気調和に係る動作を停止させる処理を行う。また、リモコン側通信回路２２０により、異常による動作停止の旨の信号（動作停止信号）を、接続に係るリモコン４００に対して送信するための処理を行う（Ｓ１０３）。
【００２３】
リモコン制御装置４３０は、通信線５００を介してリモコン通信回路４１０において動作停止の旨の信号を受信したものと判断すると、表示信号を送信して、リモコン表示装置４５０に異常発生の旨を表示させる処理を行う（Ｓ１０４）。
【００２４】
図６は実施の形態１に係る各機器の復帰処理に係る信号の流れを表す図である。ここで本実施の形態では、利用者は異常リセットの指示をリモコン４００Ａに対して行うものとする。利用者が操作することにより、リモコン操作装置４４０から異常リセットの指示が入力されたものと判断すると（Ｓ２０１）、リモコン制御装置４３０は表示信号を送信して、リモコン表示装置４５０の表示を通常時の表示と同様に戻す処理を行う。また、リモコン通信回路４１０、通信線５００を介した異常リセット信号の送信処理を行う（Ｓ２０２）。ここで、表示を戻す処理を行っているが、室内機２００の動作再開に伴って表示が戻るようにしてもよい。
【００２５】
室内制御装置２４０は、通信線５００を介して室内通信回路２１０において異常リセット信号を受信したものと判断すると、復帰処理を行い、室内機２００の冷媒回路に係る手段に空気調和に係る動作を再開させる。このとき、室内記憶装置２３０に記憶させておいた状態データに基づいて、例えば停止前の状態、設定により動作を再開させるようにする。また、室内通信回路２１０、伝送線３００を介した異常リセット信号の送信処理を行う（Ｓ２０３）。このとき、リモコン４００Ｂ及び４００Ｃは、異常発生の旨を表示させたままとなる。また、室内機２００Ｂ及び２００Ｃも停止している。
【００２６】
室外制御装置１３０は、室内通信回路２１０において異常リセット信号を受信したものと判断すると、他の室内機２００（室内機２００Ｂ、２００Ｃ）に対し、室外通信回路１１０を介した異常リセット通報信号の送信処理を行う（Ｓ２０４）。
【００２７】
ここで、異常リセット信号を受信した室内機２００Ａから伝送線３００を介して、室内機２００Ｂ、２００Ｃに異常リセット信号を送信するようにしてもよいが、室内機２００が動作を再開できるようにするためには、室外機１００が正常に運転していなければならない。そこで、本実施の形態においては、一度、室内機２００側から室外機１００側に異常リセット信号を送信し、室外機１００側から、室内機２００Ｂ及び２００Ｃ側に異常リセット通報信号を送信するようにする。
【００２８】
例えば、室外機１００が復帰しておらず、運転を再開していないような場合には、例えば、異常リセット信号が送られても、異常リセット通報信号を送信しないようにする。また、このとき、室外機１００が運転していないため、異常リセット信号を送信した室内機２００Ａにおいても動作を再度停止する。また動作停止信号により、リモコン４００Ａのリモコン表示装置４５０も異常発生の旨の表示となる。
【００２９】
次に室内制御装置２４０は、伝送線３００を介して室内通信回路２１０において異常リセット通報信号を受信したものと判断すると、室内記憶装置２３０に記憶させていた状態データに基づいて流量制御手段等の動作を開始させる。また、異常リセット通報信号をリモコン側通信回路２２０から送信させる（Ｓ２０５）。
【００３０】
リモコン制御装置４３０は、通信線５００を介してリモコン通信回路４１０において異常リセット通報信号を受信したものと判断すると、表示信号を送信して、リモコン表示装置４５０の表示を通常時と同様に戻す処理を行う（Ｓ２０６）。
【００３１】
以上のように、実施の形態１の空気調和装置によれば、リモコン４００においては、リモコン操作装置４４０に利用者から異常リセットの指示が入力されたものと判断すると、そのリモコン４００は、異常リセット信号を室外機１００側に送信し、また、室外機１００から他の室内機２００に対して異常リセット通報信号を送信して、異常リセット通報信号を受信した他の室内機２００、リモコン４００が通常状態に戻る処理を行うようにしたので、異常リセットの指示が入力されたリモコン４００だけでなく、他のリモコン４００においても通常の表示に戻すことができる。また、室内機２００の運転動作も通常状態に戻すことができる。このため、リモコン４００間で表示が異なることなく、利用者を困惑させずにすむ。
【００３２】
また、室外機１００に異常リセット信号を送信し、室外機１００から異常リセット指示がされていない他の室内機２００に異常リセット通報信号を送信するようにして、他の室内機２００において動作を再開するようにしたので、室外機１００が正常な状態で運転を再開している場合に他の室内機２００に動作を再開させることができる。
【００３３】
実施の形態２．
図７はこの発明の実施の形態２における室内機２００の制御に係る装置（手段）構成を表す図である。図７において、図１と同じ符号を付している装置、手段等については、上述した実施の形態１で説明したことと同様の処理、動作等を行う。本実施の形態では、各室内機２００において、異常リセット通報信号の有効又は無効を切り替えるためのスイッチ回路２５０を有している。例えば、スイッチ回路２５０がＯＦＦになっている場合には、室内制御装置２４０は異常リセット通報信号に基づく復帰処理を行わず、ＯＮの場合には復帰処理を行うようにする。このため、室内制御装置２４０は、スイッチ回路２５０の設定に基づいて処理を行うための異常リセット有効無効切替判断手段２４１（以下、切替判断手段２４１という）を有している。
【００３４】
実施の形態１は、あるリモコン４００から利用者が行った異常リセット指示に基づいて、すべてのリモコン４００の表示を通常の表示に戻し、室内機２００の運転を元に戻すものである。このとき、例えば指示に係るリモコン４００以外のリモコン４００では、指示をしていないのに表示が通常の表示に戻るため、逆に利用者が困惑する可能性もある。
【００３５】
そこで、本実施の形態では、各室内機２００において、異常リセットに係る復帰処理を行うかどうかを選択できるようにしたものである。室内制御装置２４０の切替判断手段２４１は、例えば室内機２００の動作開始時にスイッチ回路２５０のＯＮ又はＯＦＦを判断し、室外機１００に異常リセットに係る処理の有効又は無効のデータを含む信号を送る処理を行う。室外機１００は、有効又は無効のデータを室内機２００毎に室外記憶装置１２０に記憶しておく。そして、有効となっている室内機２００に対してのみ異常リセット通報信号を送るようにして、伝送線３００における通信トラフィックの軽減等をはかるようにする。
【００３６】
図８は実施の形態２に係る各機器の異常時における処理と信号の流れを表す図である。ここで、前述したように、室外機１００では、室内機２００からの異常リセットに係る処理の有効又は無効のデータを室内機２００毎に室外記憶装置１２０に記憶しておく。例えば各室内機２００において、異常リセット通報信号を受信してからスイッチ回路２５０の設定に基づいて復帰処理を行うか否かを切替判断手段２４１が判断処理してもよいが、ここでは通信トラフィックの軽減をはかるために、動作開始時に処理しておくようにする。
【００３７】
図８に示すＳ２０１〜Ｓ２０３については、室内機２００（室内制御装置２４０）は、実施の形態１で説明したことと同様の処理をそれぞれ行う。
【００３８】
そして、室外通信回路１１０がある室内機２００からの異常リセット信号を受信したものと判断すると、室外制御装置１３０は、室外記憶装置１２０に記憶した有効又は無効のデータを検索する（Ｓ２１１）。そして、有効としている室内機２００に対して室外通信回路１１０を介した異常リセット通報信号の送信処理を行う（Ｓ２０４）。ここでは、室内機２００Ｃに対して異常リセット通報信号の送信を行うようにする。無効としている室内機２００Ｂには送信しない。
【００３９】
伝送線３００を介して異常リセット通報信号を受信した室内機２００（ここでは、室内機２００Ｃ）においては、実施の形態１で説明したＳ２０５の処理を行う。また、その室内機２００（室内制御装置２４０）と通信線５００で接続されたリモコン４００（リモコン４００Ｃ）においては、実施の形態１で説明したＳ２０６の処理を行う。異常リセット通報信号を受信していない室内機２００Ｂは停止状態のままであり、リモコン４００Ｂの表示も異常状態の旨を表示したままとなる。
【００４０】
以上のように、実施の形態２の空気調和装置によれば、室内機２００にスイッチ回路２５０を設け、異常リセットに係る処理を行うか否かを選択できるようにしたので、異常リセット通報信号によるリモコン４００のリモコン表示装置４５０における自動的な表示の変更の有無を選択することができる。このため、変更の有無を利用者の判断に委ねることで、利用者の困惑を招くことをなくすことができる。また、各室内機２００におけるスイッチ回路２５０のＯＮ、ＯＦＦ状態を、室外機１００があらかじめ室外記憶装置１２０に記憶しておくようにし、異常リセットに係る処理を行わない室内機２００（室内制御装置２４０）には異常リセット通報信号を送らないようにすることで、通信トラフィックの軽減をはかることができる。
【００４１】
実施の形態３．
図９はこの発明の実施の形態３における空気調和装置のシステム構成を示す図である。図９において、図１等と同じ符号を付している機器、手段等については、上述した実施の形態１で説明したことと同様の処理、動作等を行う。
【００４２】
本実施の形態の空気調和装置は、室外機１００Ａ、１００Ｂを有している。そして、室外機１００Ａと室内機２００Ａ、室内機２００Ｂとを冷媒配管６００Ａで配管接続し、冷媒回路を構成している。また、室外機１００Ｂと室内機２００Ｃ、室内機２００Ｄとを冷媒配管６００Ｂで配管接続して冷媒回路を構成している。このため、本実施の形態では、２つの異なる冷媒系統の冷媒回路が存在する。
【００４３】
また、室内機２００Ａとリモコン４００Ａとを通信線５００Ａで接続し、室内機２００Ｄとリモコン４００Ｃとを通信線５００Ｃで接続している。そして、本実施の形態では、室内機２００Ｂと室内機２００Ｃとを利用者が同時に操作できるようにするため、リモコン４００Ｂと室内機２００Ｂ及び２００Ｃとを通信線５００Ｂで接続し、グルーピングを構成している。このため、通信線５００Ｂは渡り配線となっている。ここで、室内機２００Ｂと２００Ｃとが通信線５００Ｂで接続されていることから、室内機２００Ｂと室内機２００Ｃとの間で通信を行うことも可能である。
【００４４】
次に本実施の形態における空気調和装置の動作について説明する。ここで、以下では、室外機１００Ａに異常が発生したものとし、室外機１００Ｂ並びに室内機２００Ｃ及び室内機２００Ｄは正常に運転しているものとして説明する。異常が発生した側と同一冷媒回路系統の機器については、基本的には実施の形態１で説明したことと同様の動作を行う。
【００４５】
室外機１００Ａに異常が発生したものと判断すると、同一冷媒回路系統の全室内機２００（室内機２００Ａ、２００Ｂ）に異常通報信号を送信する。そして、室内機２００から通信線５００を介して動作停止の旨の信号が送られることで、リモコン４００Ａ、４００Ｂにおいて、異常発生の旨が表示される。そして、利用者がリモコン４００Ａを操作して異常リセット信号が送られると、室外機１００Ａは異常リセット通報信号を送信する。
【００４６】
室内機２００Ｂにおいて、室内制御装置２４０は、伝送線３００を介して室内通信回路２１０が異常リセット通報信号を受信したものと判断すると、リセットされた旨の信号をリモコン側通信回路２２０から送信させる。
【００４７】
本実施の形態では、リモコン４００Ｂと室内機２００Ｂ及び２００Ｃとを通信線５００Ｂで接続してグルーピングを構成していることから、室内機２００Ｃは、通信線５００Ｂを介して異常リセット通報信号を受信する。室内機２００Ｃにおいては、室内機２００Ｂからの異常リセット通報信号ではないため、復帰処理を行わずに動作を継続する。
【００４８】
以上のように、実施の形態３の空気調和装置によれば、互いに異なる冷媒系統の冷媒回路で空気調和の運転を行う複数の室内機２００Ｂ、２００Ｃに操作指示を送ることができるリモコン４００Ｃを有し、それぞれが通信線５００Ｂにより通信を行うことができる構成を有している場合に、例えば室内機２００Ｃは室外機１００Ｂ以外から送信された異常リセット通報信号に基づいて復帰処理を行わないようにしたので、このため、例えば他の冷媒系統の冷媒回路における異常によって、正常な運転を行っている室内機２００Ｃ、室外機１００Ｂを停止させてしまうことなく、運転、動作を継続させることができる。
【００４９】
実施の形態４．
上述の実施の形態２においては、通信トラフィックの軽減をはかるため、異常リセットに係る復帰処理を行わない室内機２００には異常リセット通報信号を送らないようにしたが、これに限定するものではない。例えば、室外機１００側からは室内機２００におけるスイッチ回路２５０の設定に関係なく異常リセット通報信号を送るようにする。そして、復帰処理を行わない室内機２００から、通信線５００で接続したリモコン４００に信号を送り、リモコン表示装置４５０において、他のリモコン４００で異常リセットに係る指示がなされた旨の表示が行われるようにしてもよい。
【００５０】
実施の形態５．
上述の実施の形態では、リモコン４００に表示手段となるリモコン表示装置４５０を設けるようにしたが、これに限定するものではなく、表示手段を室内機２００に設けるようにしてもよい。このとき、実施の形態１に示すように、室内機２００側からリモコン４００に異常リセット通報信号を送信する必要がなくなる。そして、空気調和装置には、表示手段を設けたリモコン４００、室内機２００を混在させることもできる。
【００５１】
また、リモコン４００（リモコン制御装置４３０）は室内機２００からの異常リセット通報信号によりリモコン表示装置４５０の表示を変更させるようにしたが、例えば、室内機２００は復帰処理により通常動作に戻るため、動作の状態によって、リモコン表示装置４５０の表示を変更させるようにしてもよい。
【００５２】
また、上述の実施の形態では、異常リセットの指示が入力されたリモコン４００、異常リセット信号が送られた室内機２００は、復帰処理により通常表示、動作を行うようにしたが、これに限定するものではない。例えば、異常リセット信号送信後、室外機１００からの異常リセット通報信号に基づいて、復帰処理を行うようにしてもよい。
【００５３】
実施の形態６．
上述の実施の形態１では、室外機１００の異常発生時に、室内記憶装置２３０にその室内機２００に係る状態データを記憶することについて説明した。これを、室外機１００の室外記憶装置１２０に、同一冷媒系統の全室内機２００の状態データを、例えば定期的に記憶させておくようにしてもよい。例えば、ある室内機２００に異常が発生し、室外機１００を電源リセットすることで空気調和装置全体のリセットを行った場合、室内機２００においてもリセットがなされることで、異常原因の調査が困難となる。
【００５４】
そこで、電源リセットの際、異常発生前の状態データに基づいて室内機２００の動作を再開させる。これにより、異常に到るまでの状況の再現をはかることができ、異常発生原因の調査を容易に行うことができる。
【符号の説明】
【００５５】
１００  室外機、１１０  室外通信回路、１２０  室外記憶装置、１３０  室外制御装置、２００，２００Ａ，２００Ｂ，２００Ｃ，２００Ｄ  室内機、２１０  室内通信回路、２２０  リモコン側通信回路、２３０  室内記憶装置、２４０  室内制御装置、２４１  異常リセット有効無効切替判断手段、２５０  スイッチ回路、３００  伝送線、４００，４００Ａ，４００Ｂ，４００Ｃ  リモコン、４１０  リモコン通信回路、４２０  リモコン記憶装置、４３０  リモコン制御装置、４４０  リモコン操作装置、４５０  リモコン表示装置、５００，５００Ａ，５００Ｂ，５００Ｃ  通信線、６００，６００Ａ，６００Ｂ  冷媒配管。
【図１】
2012013329.tif 000003
【図２】
2012013329.tif 000004
【図３】
2012013329.tif 000005
【図４】
2012013329.tif 000006
【図５】
2012013329.tif 000007
【図６】
2012013329.tif 000008
【図７】
2012013329.tif 000009
【図８】
2012013329.tif 000010
【図９】
2012013329.tif 000011